(57)【特許請求の範囲】
【請求項１】
上下端に締付組織を有し下部が先細りの太鼓状筒体からなり、該筒本体はナイロン糸とポリウレタン糸の交編からなる挿入編組織であって、前記筒本体の膨ら脛部位をコース方向に圧着するＸ襷状の補強部片を脚の後部側に設け、該補強部片は補強糸を加入して両端で編糸を切断した部分添え糸編組織からなることを特徴とする膨ら脛用サポーター。
【請求項２】
補強部片は、両腓腹筋を通らずにその間に配置させるようにウェール方向の背面上部にも設けた請求項１に記載の膨ら脛用サポーター。
【請求項３】
補強部片は、前記Ｘ襷状の補強部片に加えて背面のアキレス腱及び正面の両ヒラメ筋を通らずその中間に配置させるようにウェール方向の両側面下部にも設け、下端の締付組織に接続した請求項１又は請求項２に記載の膨ら脛用サポーター。
【請求項４】
前記補強部片の交差する周辺には、前記ナイロン糸とポリウレタン糸のいずれか一方にだけダブルカバリングヤーンを挿入した中間の補強効果を有する中間補強部片を設けてなる請求項１乃至請求項３のいずれかに記載の膨ら脛用サポーター。
【発明の詳細な説明】
【０００１】
【発明の属する技術分野】
本発明は、膨ら脛用サポーターに係るものであり、更に詳しくは、膝下から足首までの下腿部に着用して膨ら脛の部位を締め付けるためのサポーターに関するものである。
【０００２】
【従来の技術】
サッカー等の足を使うスポーツの際には、脛（スネ）を保護する必要から、膝から下の下腿部にサポーターを着用している。また足の疲労回復や、足を細くしたい女性が、膨ら脛の部位を締め付けたいという要望もある。しかし従来のサポーターは、膝用か肘用が主体であるため、膝から下の下腿部に着用する適当なサポーターが見当らなかった。
【０００３】
下腿部用のサポーターとしては、特許第２６０３７６９号公報の先行技術がある。しかしこれは、主としてテーピングの代用を意図した技術である。そのために、全体を強く締め付ければ血行障害を起こすということを懸念し、強面状部片は腓腹筋の両サイドを通りヒラメ筋とアキレス腱の一部をカバーするようにし、これを敢えて筋繊維方向に沿うように、主として縦方向（ウエ−ル方向）に設けたものであった。そのような配慮をしたという点では優秀な技術といえるが、強面状部片を横方向（コース方向）に設けなかったため、肝腎の膨ら脛を締め付ける効果があまり強いものとはなっていない。
【０００４】
【発明が解決しようとする課題】
上記の事情に鑑み、本発明はテーピングの代用は目的とせず、膨ら脛の疲労回復を主体にした締め付け効果の強い、膨ら脛用サポーターの提供を課題とする。
【０００５】
【課題を解決するための手段】
本発明は上記課題を達成するために、上下端に締付組織を有し下部が先細りの太鼓状筒体からなり、該筒本体はナイロン糸とポリウレタン糸の交編からなる挿入編組織であって、前記筒本体の膨ら脛部位をコース方向に圧着するＸ襷状の補強部片を脚の後部側に設け、該補強部片は補強糸を加入して両端で編糸を切断した部分添え糸編組織からなる膨ら脛用サポーターを構成するものである。
【０００６】
【発明の実施の形態】
以下本発明の膨ら脛用サポーターにつき、図面に基づき実施例をあげて詳しく説明する。図１は、膨ら脛用サポーターを着用した状態の一実施例を示す右側面図、図２は、膨ら脛用サポーターを裏返しにして着用した状態の一実施例を示す右側面図、図３は、膨ら脛用サポーターの一実施例を示す背面図、図４は、膨ら脛用サポーターの一実施例を示す正面図である。図５は、人体下腿部の筋肉を説明するための、背面からみた斜視図、図６は、膨ら脛用サポーターに使用されている部分添え糸編組織を含む挿入編組織の一実施例を示す組織図である。
【０００７】
膨ら脛用サポーター１は、膝Ｋの下から足首Ｎまでの下腿部Ｌに着用して、両方の腓腹筋Ｂ，Ｂからなる膨ら脛の部位Ｆを締め付けるためのサポーターであって、丸編機で編成されるニット品からなっている。そして、本考案の膨ら脛用サポーター１は、下部１ａが先細りの太鼓状筒体からなり、上下端２ａ，２ｂはゴム編等の締付組織に編成されている。
【０００８】
筒本体２ｃは、強力の大なナイロン糸３と弾性を有するポリウレタン糸４との交編からなる挿入編組織５に編成されている。本実施例の場合のナイロン糸３は、３４本のフィラメントからなる４０デニールのナイロン糸を２本撚り合わした４０／２の双糸を使用している。またポリウレタン糸４は、本実施例の場合、ＳＣＹ４０／５０を使用している。ＳＣＹ４０／５０とは、４０デニールのポリウレタンに、５０デニールのナイロンをカバリングしたサポート糸である。
【０００９】
膨ら脛用サポーター１をナイロン糸３とポリウレタン糸４との交編編みにしているのは、生地を縦方向（ウエ−ル方向）へも伸縮性を出させるためであり、仮にナイロン双糸だけの編地にすると、縦方向（ウエ−ル方向）には殆ど伸縮しなくなるからである。夫々のナイロン糸３とポリウレタン４には、レイ−イン糸６を挿入して、挿入編組織５に編成している。挿入編組織５は、編地中に編目を作らずに弾性糸からなるレイ−イン糸６を編み込んだものである。本実施例の場合にはレイ−イン糸６として、ＤＣＹ１４０×１２×１２のサポート糸を使用している。ここでＤＣＹとは、ダブル・カバリング・ヤーンのことで、１４０×１２×１２とは１４０デニールのポリウレタン糸に、１２デニールのナイロン糸を右巻きと左巻きとに二重にカバリングしたサポート糸である。このような挿入編組織５にすることによって、強力な伸縮性を付与させ、サポーターとしての機能を付与させるようにした。
【００１０】
そして膨ら脛用サポーター１は、膨ら脛部位Ｆをコース方向(横方向)Ｃに圧着するＸ襷状の、さらに強力な補強部片７を有している。この補強部片７は、部分添え糸編組織８にして補強糸９を加入し、この補強糸９を添え糸編組織８の両端で切断９ｃするようにしている。これは業界でカットボスといわれている編成方法である。即ち、補強部片７は、編糸を多くし、厚地の強力な弾性を有する組織にしている。
【００１１】
本実施例の場合の補強糸９は、ＳＣＹ４０／５０を使用している。補強糸９としては、ＳＣＹ４０／５０に限らず、４０／２のナイロン双糸を使用する場合もある。この補強糸９は、生地の表に出やすいので、補強部片７が膨ら脛用サポーター１の表面でＸ襷状の模様を形成する。
【００１２】
なお、本実施例の場合の補強部片は、斜めＸ襷状だけでなく、ウェール方向（縦方向）Ｗの背面上部１７と、ウェール方向（縦方向）Ｗの両側面下部２７，２７にも設けている。補強部片１７は、両腓腹筋Ｂ，Ｂを通らずにその間に配置させ、膨ら脛用サポーター１のずり落ち防止作用をしている。また、両補強部片２７の方は、背面のアキレス腱Ａ及び正面の両ヒラメ筋Ｈ，Ｈを通らずにその中間に配置させ、下端２ｂの締付組織に接続して設けられている。
【００１３】
更に本実施例の場合には、補強部片７の交差する周辺には、中間補強部片１０ａ，１０ｂ，１０ｃを設けている。この中間補強部片１０ａ，１０ｂ，１０ｃの組織とは、４０／２のナイロン双糸３と４０／５０のＳＣＹ４との何れか一方にだけ、１４０×１２×１２のＤＣＹ６を挿入するようにした、中間の補強効果を有する部片である。
【００１４】
また膨ら脛用サポーター１は、履く際に前後を間違えないようにする必要がある。そのためには、口ゴム部２ａの真後ろに、縦のラインを入れるようにしてもよい。そして交編組織等を利用し、カットボスの組織だけを使用せずに、この部分を複合メッシュにして同じような効果を出すことも容易にできる。
【００１５】
【発明の効果】
本発明の膨ら脛用サポーターは、膨ら脛を強く締め付けることができるので、足の疲労を早く回復させることができる。
【００１６】
本発明の膨ら脛用サポーターは、サッカー等の足を使うスポーツ用に、脛を保護するために使用することができる。
【００１７】
本発明の膨ら脛用サポーターは、膨ら脛の部位を締め付けて、足を細くしたい女性向きにも最適である。
【図面の簡単な説明】
【図１】膨ら脛用サポーターを履いた状態の一実施例を示す右側面図である。
【図２】膨ら脛用サポーターを裏返しにして履いた状態の一実施例を示す右側面図である。
【図３】膨ら脛用サポーターの一実施例を示す背面図である。
【図４】膨ら脛用サポーターの一実施例を示す正面図である。
【図５】人体下腿部の筋肉を説明するための背面からみた斜視図である。
【図６】膨ら脛用サポーターに使用されている部分添え糸編組織を含む挿入編組織の一実施例を示す組織図である。
【符号の説明】
１              膨ら脛用サポーター
１ａ            膨ら脛用サポーターの下部
２ａ，ｂ        膨ら脛用サポーターの上下端
２ｃ            膨ら脛用サポーターの本体
３              ナイロン糸
４              ポリウレタン糸
５              挿入編組織
６              レイ−イン糸
７，１７，２７  補強部片
８              部分添え糸編組織
９              補強糸
９ｃ            補強糸の切断端
１０ａ，ｂ，ｃ，中間補強片
Ａ              アキレス腱
Ｂ              腓腹筋
Ｃ              コース方向
Ｆ              膨ら脛の部位
Ｈ              ヒラメ筋
Ｋ              膝
Ｌ              下腿部
Ｎ              足首
Ｗ              ウェール方向
【図１】
0004537601.tif 000002
【図２】
0004537601.tif 000003
【図３】
0004537601.tif 000004
【図４】
0004537601.tif 000005
【図５】
0004537601.tif 000006
【図６】
0004537601.tif 000007